(57)【特許請求の範囲】
【請求項１】
用紙に印刷を行う印字ヘッドと、その印字ヘッドが搭載された装置本体と、その装置本体に開閉可能に取着される開閉カバーとを備えた画像形成装置において、
前記装置本体または開閉カバーの一方に配設されるロックピンと、
そのロックピンに対応して前記装置本体または開閉カバーの他方に配設され、その開閉カバーの閉鎖に伴って前記ロックピンと当接されるロック部材と、
そのロック部材を前記ロックピンに対して相対的に付勢する付勢部材と、
前記ロック部材に凹設されると共に前記ロック部材の一面側が開放するように側面視コ字状に形成されるロック溝を有するピン係入部と、
前記ロック溝の内面であって前記突起部と前記上壁面との間部分に凹設される凹み部とを備え、
前記ロック溝は、内面を構成し一側から他側へ向けて延びる上壁面と、その上壁面の他側の端部に連設されると共に一方へ延びる受け面と、その受け面の一方の端部に形成されると共に一側へ延びる下壁面と、前記上壁面の一側の端部から前記下壁面へ向けて突設される突起部とを備え、
前記凹み部は、略円弧状に形成されると共に、曲率半径が前記ロックピンの半径よりも小さくされ、
前記凹み部が前記ロックピンの外周面と２点で当接される状態において、前記ロックピンと前記受け面との間には隙間が設けられていることを特徴とする画像形成装置。
【請求項２】
前記凹み部は、前記ピン係入部の内面に略円弧状に凹設されるとともに、その凹み部の曲率半径は前記ロックピンの外径の略１／２以下に形成されていることを特徴とする請求項１記載の画像形成装置。
【発明の詳細な説明】
【０００１】
【発明の属する技術分野】
本発明は、印字ヘッドにより用紙に印刷を行う画像形成装置およびその画像形成装置を備えた掲示装置に関し、特に、開閉カバーが装置本体にロックされたことを報知することができる画像形成装置に関するものである。
【０００２】
【従来の技術】
近年、文字や図形等の情報を記載（筆記）可能かつ消去可能に構成されたホワイトシートと、そのホワイトシートに記載された情報を読み取る読取装置と、その読取装置により読み取られた画像データに基づいて印刷を行う印字ヘッドを有するプリンタ（画像形成装置）とを備えた電子黒板が提案されている。
【０００３】
この電子黒板は、ホワイトシート及び読取装置が搭載されるフレームを備え、プリンタは、例えば、かかるフレームの下部に取着されて使用される。このような電子黒板では、読取装置によってホワイトシートに記載された情報が読み取られ、その読み取られた画像データに基づいて、印字ヘッドにより記録用紙に印刷が行われるのである。ところで、電子黒板に使用されるプリンタについては、各種提案されており、例えば、感熱記録用紙に印刷を行う感熱記録方式のプリンタ（以下、この欄及び次欄で「感熱式プリンタ」と称す。）がある。
【０００４】
感熱式プリンタは、感熱記録用紙の表面に選択的に熱を印加して印刷を行う印字ヘッドと、その印字ヘッドに圧接されるローラ状のプラテンと、そのプラテンに向けて印字ヘッドを付勢するヘッドバネとを備えている。また、かかる感熱式プリンタは、印字ヘッドとプラテンとの間に感熱記録用紙を挟み込むために、開閉カバーの開放に伴って印字ヘッドとプラテンとが離間可能に構成されている。
【０００５】
ところで、電子黒板に使用される感熱式プリンタには、電子黒板のフレーム下部に取着されるプリンタ本体と、そのプリンタ本体を下方から開閉可能に覆うよう開閉カバーとを備えたものがある。かかる感熱式プリンタでは、印字ヘッド及びヘッドバネがプリンタ本体に配設される一方、プラテンが開閉カバーに配設されることにより、開閉カバーの開放に伴って印字ヘッドとプラテンとが離間するように構成されるのである。
【０００６】
一方、このように開閉カバーがプリンタ本体の下側に配設される感熱式プリンタでは、開閉カバーが自重等により突然開放することを防止するため、ロック装置によって、開閉カバーをプリンタ本体にロック（結合）させる必要がある。このロック装置については、各種の提案がされており、例えば、プリンタ本体に配設されるロックピンと、そのロックピンが係入可能なロック溝を有し、開閉カバーに配設されるロック部材と、そのロック部材をロックピンへ向けて付勢する弾性バネ等のロックバネとを備えたものがある。
【０００７】
このようなロック装置によれば、開閉カバーの閉鎖に伴って、ロック部材がロックピンに近接されると、ロックバネの付勢力によって、ロック部材の非ロック溝部分にロックピンに当接される。ロックピンの当接後、開閉カバーが更に閉鎖されると、ロックピンがロック部材に対して相対的に非ロック溝部分を摺動して、その後、ロックピンがロック溝内に係入し始める。その後、ロックピンがロック溝内面に当接しつつ摺動してロック溝の奥側に係入されると、ロック部材とロックピンとが係合され、開閉カバーがプリンタ本体にロックされるのである。
【０００８】
【発明が解決しようとする課題】
しかしながら、上記のロック装置を備えた電子黒板用の感熱式プリンタでは、開閉カバーがプリンタ本体の下側に配設されるため、その開閉カバーをプリンタ本体側へ押し上げて閉鎖する必要がある。このように開閉カバーを押し上げて閉鎖する場合には、開閉カバーを押し上げる力を加え難いため、かかる力が不足することがある。
【０００９】
開閉カバーの押し上げ力が不足すると、ロックピンがロック部材の非ロック溝部分に当接したまま止まってしまい、電子黒板の使用者は、開閉カバーがプリンタ本体に確実にロックされていないにも関わらず、開閉カバーがプリンタ本体にロックされたと勘違いしてしまう。一方、開閉カバーの押し上げ力が充分で、開閉カバーがプリンタ本体にロックされた場合でも、ロックピンはロック溝の内面と当接しつつ摺動してロック溝内に静かに係入されるため、開閉カバーがプリンタ本体に確実にロックされたことを知ることができない。そのため、開閉カバーをロックさせようとして、更に過負荷を与えてしまい、ロックピンを変形させてしまうことがある。このように、上記のロック装置では、ロックピンがロック溝に係入されたか否か、即ち、開閉カバーがプリンタ本体に確実にロックされたか否かを確認することができないという問題点があった。
【００１０】
本発明は、上述した問題点を解決するためになされたものであり、開閉カバーが装置本体にロックされたことを利用者に対して報知することができる画像形成装置を提供することを目的としている。
【００１１】
【課題を解決するための手段】
この目的を達成するために請求項１記載の画像形成装置は、用紙に印刷を行う印字ヘッドと、その印字ヘッドが搭載された装置本体と、その装置本体に開閉可能に取着される開閉カバーとを備え、前記装置本体または開閉カバーの一方に配設されるロックピンと、そのロックピンに対応して前記装置本体または開閉カバーの他方に配設され、その開閉カバーの閉鎖に伴って前記ロックピンと当接されるロック部材と、そのロック部材を前記ロックピンに対して相対的に付勢する付勢部材と、前記ロック部材に凹設されると共に前記ロック部材の一面側が開放するように側面視コ字状に形成されるロック溝を有するピン係入部と、前記ロック溝の内面であって前記突起部と前記上壁面との間部分に凹設される凹み部とを備え、前記ロック溝は、内面を構成し一側から他側へ向けて延びる上壁面と、その上壁面の他側の端部に連設されると共に一方へ延びる受け面と、その受け面の一方の端部に形成されると共に一側へ延びる下壁面と、前記上壁面の一側の端部から前記下壁面へ向けて突設される突起部とを備え、前記凹み部は、略円弧状に形成されると共に、曲率半径が前記ロックピンの半径よりも小さくされ、前記凹み部が前記ロックピンの外周面と２点で当接される状態において、前記ロックピンと前記受け面との間には隙間が設けられている。
【００１２】
この請求項１記載の画像形成装置によれば、開閉カバーが装置本体へ向けて閉鎖されると、その閉鎖に伴って、ロック部材とロックピンとが近接される。かかる近接に伴って、付勢部材の付勢力によりロック部材とロックピンとが当接される。この当接によりロック部材とロックピンとの間には摩擦抵抗が生じる。開閉カバーの更なる閉鎖に伴って、ロックピンは、ロック部材と当接しつつロック溝の一側へ相対的に摺動され、ロック溝の一側の縁部に突設された突起部に到達する。その後、開閉カバーが更に閉鎖されると、突起部を乗り越えたロックピンが付勢部材の付勢力により突起部から離間される。かかる離間によりロックピンとロック部材との間の摩擦抵抗が一時的になくなり、ロックピンがロック溝の一側からピン係入部内へ飛び込む。この飛び込んだロックピンはロック溝の受け面に衝突して受け止められ、その衝突に伴う衝突音により、ロックピンがロック部材のピン係入部に係入されたことが報知される。
【００１４】
また、開閉カバーが装置本体へ向けて閉鎖されると、その閉鎖に伴って、ロック部材とロックピンとが近接される。かかる近接に伴って、付勢部材の付勢力によりロック部材とロックピンとが当接される。この当接によりロック部材とロックピンとの間には摩擦抵抗が生じる。開閉カバーの更なる閉鎖に伴って、ロックピンは、ロック部材と当接しつつロック溝の一側へ相対的に摺動され、ロック溝の一側の縁部に到達する。かかるロックピンは、開閉カバーの更なる閉鎖に伴って、ピン係入部の内面を更に摺動して凹み部に到達する。その後、開閉カバーが更に閉鎖されると、凹み部に到達したロックピンが付勢部材の付勢力により凹み部を飛び越え、受け面側へ向けて飛翔される。この飛翔されたロックピンはロック溝の受け面に衝突して受け止められ、その衝突に伴う衝突音により、ロックピンがロック部材のピン係入部に係入されたことが報知される。
【００１６】
請求項２記載の画像形成装置は、請求項１記載の画像形成装置において、前記凹み部は、前記ピン係入部の内面に略円弧状に凹設されると共に、その凹み部の曲率半径は前記ロックピンの外径の略１／２以下に形成されている。
【００２２】
ホワイトシート４の内周には、黒板フレーム２の内部下側に回転（回動）可能に軸支された略円筒状の駆動ローラ５と、黒板フレーム２の内部上側に回転可能に軸支された略円筒状の従動ローラ６とが配設されている。これらの各ローラ５，６は、その軸方向が黒板フレーム２の幅方向と略同一方向とされており、ホワイトシート４は、各ローラ５，６に掛け渡されている。駆動ローラ５には、駆動モータ等の駆動装置（図示せず）が連結されている。よって、かかる駆動装置による駆動ローラ５の回転駆動により、ホワイトシート４の窓部３から露出された部分が黒板フレーム２の下側から上側へ搬送することができる。
【００２３】
一方、黒板フレーム２の内部上方であって、従動ローラ６より更に上方には、ホワイトシート４に記載された情報を読み取る読取装置７が配設されている。この読取装置７は、ホワイトシート４の幅方向全域に亘って設けられており、従動ローラ６の外周に掛け渡されたホワイトシート４の外周面と対向する部分に読取部７ａを備えている。この読取部７ａは、例えば、密着型イメージセンサ（以下、ＣＩＳ（Contact Image Sensor）と称す。）などで構成されており、かかる読取部７ａによりホワイトシート４に記載された文字や図形等の情報を読み取ることができるのである。
【００２４】
黒板フレーム２の下部両側には、一対の台座脚８，９がそれぞれ取着され、かかる一対の台座脚８，９によって、電子黒板１が床面上に支持されている。また、黒板フレーム２の下部にはフレーム下枠２ａが設けられ、このフレーム下枠２ａには、略直方体状のプリンタ１０が取着されている。このプリンタ１０は、読取装置７により読み取られた画像データに基づいて印刷を行うものであり、その上部に設けられたプリンタ本体１１の上面がフレーム下枠２ａ下面にねじ止め等により取着されている。また、プリンタ１０は、読取装置７と通信ケーブル（図示せず）を介して電気的に接続されており、かかる通信ケーブルを介して読取装置７により読み取られた画像データを受信することができる。
【００２５】
プリンタ１０は、感熱記録用紙をロール状に巻回したロール紙Ｐ（図２参照）に印刷を行うものであり、主に、プリンタ本体１１と、そのプリンタ本体１１を下方から開閉可能に覆う開閉カバー１２とを備えている。この開閉カバー１２は、後述する開閉軸１８ａ（図２参照）を介して略９０度以下の範囲で開閉可能にプリンタ本体１１に取着されている。また、プリンタ本体１１の上部前面には、ロール紙Ｐのサイズ設定などを行う操作パネル１３が設けられ、その操作パネル１３の下側前面であって、プリンタ本体１１と開閉カバー１２の境界部分には、印刷済のロール紙Ｐが排出される排紙口１４が設けられている。更に、開閉カバー１２の下面には、開閉カバー１２を開放する際に操作されるリリースレバー１５が設けられている。
【００２６】
図２は、プリンタ１０の内部構造を概略的に図示した側断面図であり、開閉カバー１２の閉鎖状態を示している。図２中、矢印Ａは、ロール紙Ｐの搬送方向を示しており、矢印Ｂは、開閉カバー１２の開放方向を示し、矢印Ｃは、開閉カバー１２を開放する際のリリースレバー１５の操作方向（揺動方向）を示し、矢印Ｄは、開閉カバー１２の開放動作に伴うストッパ部材１９の揺動方向（延出方向）を示している。また、図２では、ロール紙Ｐを２点鎖線で図示し、ストッパ部材１９を弾性的に付勢するストッパバネ２２（図３参照）と、ストッパ部材１９のガイド溝１９ｆ、係着部１９ｃ，１９ｅの図示を省略している。
【００２７】
図２に示すように、プリンタ本体１１は、その下面が開放された中空箱状体のケース体１６を備えており、ケース体１６の内部後方（図２右側）には、略平板状のヒンジプレート１６ａが設けられている。このヒンジプレート１６ａは、プリンタ本体１１の幅方向（図２の紙面に対する垂直方向）両側にそれぞれ設けられており、開閉カバー１２の後部（図２下側）へ向けて延出されている。
【００２８】
一方、開閉カバー１２は、その内部に金属製のカバーフレーム１８が設けられており、このカバーフレーム１８には略円柱状の開閉軸１８ａが設けられている。カバーフレーム１８は、かかる開閉軸１８ａを介してヒンジプレート１６ａの下端側に揺動（回動）可能に軸着されており、このため開閉カバー１２がプリンタ本体１１に対して開閉可能に取着（支持）されている。開閉カバー１２の後部には、ロール状に巻回されたロール紙Ｐを収納するロール紙トレイ１７が設けられている。このロール紙トレイ１７は、開閉カバー１２の幅方向（図２の紙面に対する垂直方向）に連続して側面視略円弧状に形成されており、プリンタ本体１１のケース体１６と対向する上側部分が開放されている。よって、かかる開放部分からロール紙トレイ１７へロール紙Ｐを収納することができるのである。
【００２９】
また、開閉カバー１２の内部には、その開閉カバー１２が開放された場合にロール紙Ｐを受け止めるストッパ部材１９が収容されている。このストッパ部材１９は、ロール紙Ｐの用紙幅方向（図２の紙面に対する垂直方向）両側にロール紙Ｐの両端を挟み込むように、一対の略板状の側板１９ａを備えている。側板１９ａは、開閉カバー１２の後部（図２右側）から前部（図２左側）へ向けて延出されており、その一端側（図２右側）が揺動軸１９ｂを介してカバーフレーム１８の開閉軸１８ａ近傍に揺動可能に軸着されている。
【００３０】
ストッパ部材１９は、また、各側板１９ａにおける他端側（図３左側）に各側板１９ａの対向面側から内方（図２の手前側）へ保持板１９ｃがそれぞれ立設されている。この保持板１９ｃは側面視略く字状（図２参照）に屈曲形成されており、この屈曲形成された部分によって、ロール紙トレイ１７から転落しようとするロール紙Ｐの幅方向両端部分を受け止めることができるのである。
【００３１】
更に、一対の側板１９ａは、各保持板１９ｃと隣接する部分に取着された金属製の略丸棒状の搬送路形成バー１９ｄにより互いに連結されている。この搬送路形成バー１９は、上述した保持板１９ｃと共にロール紙トレイ１７から転落しようとするロール紙Ｐを受け止めるものであり、且つ、ロール紙Ｐの搬送路の一部を形成するものである。このため、搬送路形成バー１９ｄの幅方向（軸方向）（図２の紙面に対する垂直方向）長さは、ロール紙Ｐの用紙幅長より若干長く形成されている。また、搬送路形成バー１９ｄと各側板１９ａとの連結部分には、略円柱状のボス部１９ａ１がそれぞれ設けられている。
【００３２】
ストッパ部材１９のボス部１９ａ１には、開閉カバー１２の閉鎖動作に伴って、後述するカール除去板２０の案内板２０ｈが当接されるように構成されており、かかる当接により、ストッパ部材１９が開閉カバー１２側へ押動され、図２に示す開閉カバー１２の内部位置に押し下げられるのである。しかも、同時に、カール除去板２０は、揺動軸２０ｅを中心として上方（図２の反時計方向）へ揺動され、図２に示す所定位置に押し上げられるのである。
【００３３】
ところで、上述した保持板１９ｃは、側板１９ａにおける揺動軸１９ｂ側端部の反対側（図２左側）縁に形成されており、かかる保持板１９ｃの上端側の上方に搬送路形成バー１９ｄが取着されている。保持板１９ｃは、開閉カバー１２が閉鎖された状態において、ロール紙トレイ１７の形成位置より開閉カバー１２の前側部分に収容可能に形成されており、かかる収容位置からロール紙トレイ１７の上方へ迫り出されるように構成されている。
【００３４】
搬送路形成バー１９ｄの下方には、金属製のカール除去板２０が配設されている。このカール除去板は２０は、搬送路形成バー１９ｄとともに、ロール紙Ｐの搬送路をそのカール方向と逆方向に湾曲させるものであり、その両側（図２の紙面に対する垂直方向両側）に略円柱状の揺動軸２０ｅがそれぞれ設けられている。一対の揺動軸２０ｅは、プリンタ本体１１のヘッドフレーム２６に揺動可能に軸着されており、このためカール除去板２０はケース体１６に揺動可能に取着されている。なお、ヘッドフレーム２６は、後述する記録部２１の印字ヘッド２１ａをケース体１６内部に支持するものである。
【００３５】
カール除去板２０は、主に、平板状の上板２０ａと、その上板２０ａの下方に配設された同じく平板状の下板２０ｂと、その上板２０ａに連設された受け板２０ｆとから構成されている。上板２０ａと下板２０ｂとは、屈曲部２０ｃにて略Ｕ字状に屈曲されており、この屈曲部２０ｃと下板２０ｂとがロール紙Ｐの搬送路の一部を形成する。このため下板２０ｂ及び屈曲部２０ｃの幅長は、ロール紙Ｐの用紙幅長より若干長く形成されている。
【００３６】
この屈曲部２０ｃの先端が搬送路形成バー１９ｄと略Ｓ字状に対向配置されることにより、ロール紙Ｐのカール方向と逆方向に湾曲された搬送路が形成される。この湾曲された搬送路をロール紙Ｐが通過することにより、そのカールが除去されるのである。また、上板２０ａには、平板状の受け板２０ｆが連設されており、その受け板２０ｆの両側（図２の紙面に対する垂直方向両側）には、略円柱状の揺動軸２０ｅを備えた一対の側板２０ｄがそれぞれ取着されている。また、側板２０ｄの上方には、受け板２０ｆに連設された平板状のストッパ板２０ｇがプリンタ本体１１の前部（図２左側）へ延出されている。
【００３７】
ストッパ板２０ｇの延出部分の先端は、ヘッドフレーム２６の後端側（図２右側）から下方へ立設された後壁２６ｃと当接されており、かかる当接によりカール除去板２０の図２の反時計方向へ向けた揺動位置が規制されている。よって、開閉カバー１２が閉鎖された場合に、カール除去板２０を図２に示す所定位置に位置決めすることができるのである。
【００３８】
また、カール除去板２０の幅方向（図２の紙面に対する垂直方向）両側には、一対の案内板２０ｈが設けられている。この案内板２０ｈは、受け板２０ｆからストッパ部材１９の側板１９ａへ向けて延出されており、かかる案内板２０ｈの先端は、上方へ向けて略く字状に折り曲げられている。この案内板２０ｈは、ストッパ部材１９のボス部１９ａ１の上端面に当接され摺動される部分であり、かかる摺動により、カール除去板２０を図２に示す所定の位置へ移動させることができる。
【００３９】
即ち、開放状態（図３の状態）から、開閉カバー１２が開閉軸１８ａを中心に閉鎖方向（図３の反矢印Ｃ方向）へ揺動されると、案内板２０ｈは、ストッパ部材１９のボス部１９ａ１に当接されつつ摺動されて、揺動軸２０ｅを中心に上方（図３の反時計方向）へ揺動される一方、ストッパ部材１９は揺動軸１９ｂを中心に開閉カバー１２へ向けて揺動される。この結果、ストッパ部材１９は、開閉カバー１２の内部であって図２に示される所定の位置に移動され、且つ、カール除去板２０は、図２に示すように、その屈曲部２０ｃが搬送路形成バー１９ｄの下方の位置に移動される。
【００４０】
カール除去板２０の下流側には、下板２０ｂから搬送されたロール紙Ｐに印刷を行うを記録部２１が設けられている。この記録部２１は、サーマルプリントヘッドからなる印字ヘッド２１ａと、送りローラを兼ねたプラテン２１ｂと、そのプラテン２１ｂへ印字ヘッド２１ａを押圧するヘッドバネ２１ｃとを備えている。この記録部２１は、記録部２１へ搬送された感熱印字用紙からなるロール紙Ｐに、印字ヘッド２１ａによって選択的に熱を印加することにより、印刷を行うためのものである。記録部２１の更に下流側には、上述した排紙口１４が設けられており、記録部２１で印刷の行われたロール紙Ｐは、プラテン２１ｂの回転に伴って所定の速度で搬送された後に、この排紙口１４からプリンタ１０の外部へ排出される。
【００４１】
記録部２１の下方であって開閉カバー１２の前部（図２左側）には、開閉カバー１２を開放する際に操作されるリリースレバー１５が配設されている。リリースレバー１５は、その上端側にレバー軸１５ａが設けられており、このレバー軸１５ａがカバーフレーム１８に軸着されることにより、リリースレバー１５が開閉カバー１２に揺動可能に取着されている。また、リリースレバー１５は、レバー軸１５ａから下方へ向けて略平板状の延出部１５ｂが略垂直に延出されており、この延出部１５ｂの下端にはプリンタ１０の後部（図２右側）へ向けて略平板状のフック部１５ｃが略水平に連設されている。よって、かかるフック部１５ｃに指先を引っ掛けて、延出部１５ｂをレバー軸１５ａ回りに前側上方（図２の時計方向、矢印Ｃ方向）へ揺動させることにより、開閉カバー１２が開放可能となるのである。
【００４２】
図３は、プリンタ１０の内部構造を概略的に図示した側断面図であり、開閉カバー１２の開放状態を示している。図３中、矢印Ｂは、開閉カバー１２の開放方向を示し、矢印Ｃは、開閉カバー１２を開放する際のリリースレバー１５の操作方向（揺動方向）を示し、矢印Ｄは、開閉カバー１２の開放動作に伴うストッパ部材１９の延出方向を示し、矢印Ｅは、ロール紙Ｐの用紙先端Ｐ２の引き出し方向を示している。また、図３では、ロール紙Ｐを２点鎖線で図示している。
【００４３】
図３に示すように、ストッパ部材１９の側板１９ａには、ストッパバネ２２の延出部２２ｃを係合するための係着部１９ｅが設けられている。ストッパバネ２２は、延出部２２ｃを揺動軸１９ｂ回りに矢印Ｃ方向（図３の時計方向）へ付勢することにより、ストッパ部材１９を開閉カバー１２からプリンタ本体１１側へ向けて付勢し、ストッパ部材１９をロール紙トレイ１７の前側上方（図３左側）へ延出させる弾性ばね部材であり、弾性復元性を有する線材（弾性材料）を巻回することにより形成されている。
【００４４】
ストッパバネ２２は、主に、略円筒状に巻回されたコイル部２２ａと、そのコイル部２２ａの一端側から延出される延出部２２ｂと、コイル部２２ａの他端側から延出される延出部２２ｃとを備えている。ストッパバネ２２のコイル部２２ａの内周部分には揺動軸１９ｂが貫入されており、延出部２２ｂは開閉カバー１２のカバーフレーム１８に設けられた係着部１８ｂに係合され、延出部２２ｃは側板１９ａの係着部１９ｅに係合されている。
【００４５】
よって、開閉カバー１２が開放される場合に、ストッパバネ２２に蓄えられた弾性復元力により、ストッパ部材１９の側板１９ａを揺動軸１９ｂ回りに矢印Ｃ方向（図３の時計方向）へ付勢することができる。かかるストッパバネ２２の付勢により、側板１９ａは矢印Ｃ方向へ揺動され、その結果、ストッパ部材１９がロール紙トレイ１７の前側上方（図３左側）へ上昇移動させることができるのである。
【００４６】
一方、開閉カバー１２が閉鎖される場合には、開閉カバー１２の閉鎖動作に伴って、ストッパ部材１９のボス部１９ａ１がカール除去板２０の案内板２０ｈと当接される。更に、開閉カバー１２の閉鎖動作が続行されると、その閉鎖動作に伴って、ストッパ部材１９が案内板２０ｈにより開閉カバー１２側へ向けて相対的に押動され、図２に示す位置に収容されるのである。かかるストッパ部材１９の収容状態において、ストッパバネ２２は、その延出部２２ｃがコイル部２２ａを介して延出部２２ｂ側へ弾性的に撓められて、この撓み変形により弾性復元力が蓄えるのである。
【００４７】
開閉カバー１２のカバーフレーム１８には、ロール紙トレイ１７の前側縁部（図３左側）の近傍から側板１９ａへ向けて突設された略平板状の係合突起１８ｃが設けられている。この係合突起１８ｃは、ストッパバネ２２の付勢によるストッパ部材１９の揺動移動を案内するためのものであり、側板１９ａに凹設されたガイド溝１９ｆに摺動可能に係合されている。よって、ストッパ部材１９が開閉カバー１２の開放動作に伴って揺動される場合に、このガイド溝１９ｆ内で係合突起１８ｂが相対的に摺動することにより、ストッパ部材１９の揺動を案内することができる。
【００４８】
ガイド溝１９ｆの上端及び下端には制限壁１９ｆ１，１９ｆ２が立設されており、これらの制限壁１９ｆ１，１９ｆ２により、ガイド溝１９ｆ内を相対的に摺動する係合突起１８ｃの摺動範囲を規制することができる。その結果、ストッパ部材１９の揺動範囲を図２に示す状態と図３に示す状態との間で規制することができるのである。
【００４９】
図４は、ロック装置２３を側面視したプリンタ１０の内部構造を示す側断面図であり、開閉カバー１２の閉鎖状態を示している。また、図４では、ロックバネ２５及びヘッドフレーム２６の一部を２点鎖線で図示し、ストッパ部材１９、ストッパバネ２２、ロール紙Ｐの図示を省略している。なお、図４中の矢印Ｂは、開閉カバー１２の開放方向を示し、矢印Ｆは、ロックバネ２５の付勢によるロックレバー２４の揺動方向を示している。
【００５０】
ロック装置２３は、プリンタ本体１１に開閉カバー１２をロックするためのものであり、主に、開閉カバー１２をプリンタ本体１１にロックするためのロックレバー２４と、そのロックレバー２４を付勢するロックバネ２５と、そのロックバネ２５により付勢されたロックレバー２４と係合されるロックピン２７とを備えている。
【００５１】
なお、ロック装置２３は、プリンタ１０の幅方向（図４の紙面に対する垂直方向）両側にそれぞれ一対設けられるが、図４では、プリンタ１０の幅方向における一側（図４の手前側）に設けられる一方のロック装置２３を図示している。
【００５２】
ロックレバー２４の下部には、略円形状のボス部２４ａが設けられており、このボス部２４ａにはリリースレバー１５を軸支するレバー軸１５ａが嵌入され固着されている。よって、開閉カバー１２を開放する場合に、レバー軸１５ａを介して、リリースレバー１５の揺動動作をロックレバー２４に伝達することができる。従って、リリースレバー１５をレバー軸１５ａを中心に図３の矢印Ｃ方向へ揺動させることにより、ロックレバー２４を図４の反矢印Ｆ方向へ揺動させて、ロックレバー２４のロック溝２４ｃからロックピン２７を外し、開閉カバー１２を開放させることができる。
【００５３】
また、図４に示すように、ロックレバー２４のボス部２４ａの下部には、開閉カバー１２の底部へ向けて延出された平板状のアーム部２４ｂが設けられている。このアーム部２４ｂは、ロックレバー２４をレバー軸１５ａを中心に矢印Ｆ方向へ付勢するロックバネ２５が連結されるものであり、その下端には、ロックバネ２５の一端側（図４左側）に設けられたフック部２５ａが引っ掛けられ係合されている。
【００５４】
ロックバネ２５は、ロックレバー２４をレバー軸１５ａ回りに矢印Ｆ方向（図４の反時計方向）へ付勢する弾性ばね部材であり、弾性復元性を有する線材（弾性材料）を巻回して形成されている。ロックバネ２５の一端側（図４左側）には、上述したロックレバー２４のアーム部２４ｂに係合された略リング状のフック部２５ａが形成されており、ロックバネ２５の他端側（図４右側）には略リング状のフック部２５ｂが形成されている。このフック部２５ｂは、カバーフレーム１８に形成されたバネ用フック１８ｄに引っ掛けられ係合されている。このため、ロックレバー２４は、ロックバネ２５によりレバー軸１５ａ回りに矢印Ｆ方向（図４の反時計方向）へ付勢されるのである。
【００５５】
ボス部２４ａの上方であって、ロックレバー２４の前面側（図４左側）には、ロックピン２７が係入されるロック溝２４ｃが凹設されている。このロック溝２４ｃは、ロックレバー２４の前面側（図４左側）が開放するように側面視略コ字状に形成されている。ロック溝２４ｃは、その溝幅（図４の上下方向高さ）がロックピン２７の外径より若干大きく形成されており、かかるロック溝２４ｃ内にロックピン２７が係入して填り込むように形成されている。
【００５６】
ロック溝２４ｃの開放側（図４左側）における上側の縁部には、かかる縁部から上方へ向けて略垂直に連設されたピン当接面２４ｅが形成されている。このピン当接面２４ｅは、開閉カバー１２の閉鎖に伴って、ロックピン２７と当接してそのロックピン２７をロック溝２４ｃへ向けて案内する壁面である。ピン当接面２４ｅの上端には、ロックレバー２４の上面を構成するガイド面２４ｄが連設されている。このガイド面２４ｄは、ピン当接面２４ｅの上端からロックレバー２４の後端側（図４右側）の頂部へ向けて上昇傾斜された略円弧状の曲面である。
【００５７】
このガイド面２４ｄによれば、開閉カバー１２の閉鎖に伴って、ロックピン２７と当接しつつ摺動して、そのロックピン２７をピン当接面２４ｅ側へ案内することができる。しかも、ロックピン２７がガイド面２４ｄと当接しつつピン当接面２４ｅ側へ相対的に摺動することにより、ロックレバー２４をレバー軸１５ａ回りに反矢印Ｆ方向へ押動させることができるのである。
【００５８】
また、ボス部２４ａの後部（図４右側）には、プリンタ１０の後方へ向けて突設されたガイド片２４ｆが形成されている。このガイド片２４ｆは、開閉カバー１２のカバーフレーム１８に穿設されたガイド溝１８ｅに揺動可能に係合されている。このガイド溝１８ｅに係合されたガイド片２４ｆがガイド溝１８ｅ内でを揺動することによって、ロックレバー２４の揺動範囲を制限することができるのである。
【００５９】
ロックレバー２４の上方であってプリンタ本体１１の内部には金属製のヘッドフレーム２６が設けられている。このヘッドフレーム２６は、上述した記録部２１の印字ヘッド２１ａをケース体１６の前側（図４左側）内部に支持するものであり、かかるヘッドフレーム２６の幅方向（図４の紙面に対する垂直方向）両側には下方へ向けて延出されるリブ２６ａがそれぞれ形成されている。
【００６０】
リブ２６ａの下端には、上述したロックレバー２４のロック溝２４ｃに填め込まれ係合される略円柱状のロックピン２７がロックレバー２４へ向けて突出するように固着されている。また、ヘッドフレーム２６の後端側（図４右側）には、上述したカール除去板２０の揺動軸２０ｅを回動可能に支持するリブ２６ｂがプリンタ１０の後方へ向けて延出されている。
【００６１】
図５は、開閉カバー１２の閉鎖に伴うロックレバー２４とロックピン２７との相対的な位置関係を示した側面図であり、図５（ａ）は、ロックレバー２４のピン当接面２４ｅとロックピン２７とが当接した状態を図示し、図５（ｂ）は、ロックレバー２４の突起部２４ｇとロックピン２７とが当接した状態を図示し、図５（ｃ）は、ロックピン２７がロック溝２４ｃの凹み部２４ｈに到達した状態を図示している。また、図５では、ロックバネ２５の一部を２点鎖線で図示しており、図中の矢印Ｆは、ロックバネ２５の付勢によるロックレバー２４の揺動方向を示している。
【００６２】
なお、図５（ａ）及び図５（ｂ）では、ヘッドフレーム２６の図示を省略し、図５（ｃ）では、ヘッドフレーム２６の一部を２点鎖線で図示している。また、図５（ｂ）及び図５（ｃ）中の矢印Ｇは、ロックピン２７がロック溝２４ｃに係入される場合（時）のロックレバー２４に対する相対的な移動方向（係入方向）を示している。
【００６３】
図５（ａ）に示すように、ロック溝２４ｃは、ロックレバー２４の前面側（図５（ａ）左側）に凹設されており、かかるロックレバー２４の前面側に開放Ｗが設けられている。よって、開閉カバー１２の閉鎖に伴って、ピン当接面２４ｅに当接しつつ摺動したロックピン２７は、開放Ｗからロック溝２４ｃ内へ入り込んでロック溝２４ｃに係入されるのである。かかるロック溝２４ｃの上側内面は、上壁面Ｍ１、突起部２４ｇ及び凹み部２４ｈにより構成されており、上壁面Ｍ１は、ロック溝２４ｃの開放Ｗ側（図５（ａ）左側）から開放Ｗ側の反対側（図５（ａ）右側）へ向けて延ばされた壁面である。
【００６４】
上壁面Ｍ１における開放Ｗ側との反対側の端部（図５（ａ）右側）には、上壁面Ｍ１と略直交するように下方へ延びる受け面Ｍ２が連設されており、この受け面Ｍ２の下端には上壁面Ｍ１と略平行に開放Ｗ側へ延びる下壁面Ｍ３が形成されている。よって、ロック溝２４ｃは、これらの各面Ｍ１〜Ｍ３により、ロックレバー２４の前面側に開放Ｗを有する側面視コ字状に形成されるのである。
【００６５】
図５（ｂ）に示すように、ロック溝２４ｃの開放Ｗ側（図５（ｂ）左側）の縁部には、上壁面Ｍ１の開放Ｗ側の端部から下壁面Ｍ３へ向けて突起部２４ｇが突設されている。この突起部２４ｇは、ロック溝２４ｃの上側内面とロックピン２７との間に生じる摩擦抵抗を一時的に無負荷状態にするために設けられている。この突起部２４ｇの下端と下壁面Ｍ３との間には、ロックピン２７の外径より大きな間隙が設けられており、かかる間隙から突起部２４ｇを乗り越えたロックピン２７がロック溝２４ｃ内へ係入されるのである。
【００６６】
突起部２４ｇと上壁面Ｍ１とは、ロック溝２４ｃの上側内面に凹状に凹設された凹み部２４ｈにより連設されている。しかも、かかる凹み部２４ｈも、突起部２４ｇと同様に、ロック溝２４ｃの上側内面とロックピン２７との間に生じる摩擦抵抗を一時的に無負荷状態にするために設けられている。なお、突起部２４ｇ及び凹み部２４ｈの詳細については後述する。
【００６７】
図５（ｃ）に示すように、突起部２４ｇを乗り越えてロック溝２４ｃ内に係入した直後のロックピン２７とロック溝２４ｃの受け面Ｍ２との間には若干の隙間ｔが設けられている。ロックピン２７は、図５（ｃ）に示す状態となると、ロックバネ２５の弾性復元力（付勢力）によって、ロック溝２４ｃに対して相対的に矢印Ｇ方向へ間隙ｔ分だけ移動され、受け面Ｍ２に衝突されるのである。かかる衝突に伴って、ロックピン２７と受け面Ｍ２との衝突音が発生するので、かかる衝突音により、ロックピン２７がロックレバー２４のロック溝２４ｃ内に確実に係入されたことを使用者に対して報知することができるのである。
【００６８】
図６は、図５（ｃ）の状態におけるロックレバー２４の突起部２４ｇ周辺を拡大視した側面図である。なお、図中の２点鎖線で示したロックピン２７は、ロックレバー２４の突起部２４ｇと接点Ｋ１で当接（接触）する状態を示し、図中の実線で図示するロックピン２７は、ロックレバー２４のロック溝２４ｃの上側内面と接点Ｋ１，Ｋ２で当接する状態を示している。
【００６９】
図６に示すように、ロックレバー２４の突起部２４ｇは、ロック溝２４の開放Ｗ側（図６左側）の縁部から下方へ向けて隆起するように突設されており、側面視略円弧状の外面を備えている。この突起部２４ｇは、かかる円弧状外面の上側端部（図６左上側）にピン当接面２４ｅが連設され、円弧状外面の下側端部（図６右下側）に凹み部２４ｈの一端側が連設されている。
【００７０】
凹み部２４ｈは、突起部２４ｇ側から上壁面Ｍ１側へ向けて窪むように側面視円弧状の形成されている。凹み部２４ｈの曲率半径は、ロックピン２７の外径の略１／２の長さ、即ち、ロックピン２７の半径より小さくされている。このため、凹み部２４ｈは、その凹み部２４ｈに到達したロックピン２７（図６の実線）の外周面との間に空隙Ｓを設けることができ、且つ、ロックピン２７の外周面と接点Ｋ１，Ｋ２の２点で当接されるのである。
【００７１】
このような凹み部２４ｈを設けることにより、突起部２４ｇを乗り越えたロックピン２７が凹み部２４ｈに当接しつつ摺動して上壁面Ｍ１側へ移動することが防止されるので、かかる摺動に伴ってロックピン２７が突起部２４ｇを乗り越えることにより蓄えられた衝突エネルギーが損失することを防止することができる。よって、ロックピン２７と受け面Ｍ２との衝突力を大きく維持することができるのである。
【００７２】
次に、図４から図７を参照して、上記のように構成されたロック装置２３を備えたプリンタ１０の開閉カバー１２の閉鎖動作について説明する。図７は、ロック装置２３を側面視したプリンタ１０の内部構造を示す側断面図であり、開閉カバー１２の開放状態を示している。また、図７では、ロックバネ２５及びヘッドフレーム２６の一部を２点鎖線で図示し、ストッパ部材１９、ストッパバネ２２、ロール紙Ｐの図示を省略している。なお、図７中の矢印Ｂは、開閉カバー１２の開放方向を示し、矢印Ｆは、ロックバネ２５の付勢によるロックレバー２４の揺動方向を示している。
【００７３】
まず、図７に示す状態から、開閉カバー１２が開閉軸１８ａを中心に反矢印Ｂ方向へ揺動されると、開閉カバー１２がプリンタ本体１２の下面側へ向けて移動され、開閉カバー１２の閉鎖が開始される。この開閉カバー１２の閉鎖に伴って、上述したロック装置２３による開閉カバー１２とプリンタ本体１１とのロック動作が開始されるのである。具体的には、開閉カバー１２の閉鎖に伴って、ロックレバー２４のガイド面２４ｄにロックピン２７が当接される。
【００７４】
かかる当接後、開閉カバー１２を更に閉鎖すると、ロックピン２７によりガイド面２４ｄが押動（押圧）される。かかる押動により、ロックレバー２４がロックバネ２５の弾性復元力に抗して、レバー軸１５ａを中心に反矢印Ｆ方向へ揺動される。かかるロックレバー２４の揺動に伴って、ロックピン２７は、ロックレバー２４に対して相対的にガイド面２４ｄに当接しつつピン当接面２４ｅ側へ向けて摺動される。
【００７５】
開閉カバー１２の閉鎖動作が更に続行されると、ロックレバー２４は、ロックピン２７により更に矢印Ｆ方向へ揺動され、その結果、図５（ａ）に示すようにロックピン２７がロックレバー２４のピン当接面２４ｅに到達する。ピン当接面２４ｅに到達したロックピン２７は、ピン当接面２４ｅと当接しつつ、ロックレバー２４に対して相対的にロック溝２４ｃの開放Ｗ側へ向けて摺動され、図５（ｂ）に示すように、突起部２４ｇの下端に到達する。
【００７６】
一方、アーム部２４ｂに係合されたロックバネ２５は、ロックレバー２４の反矢印Ｆ方向への揺動に伴って、徐々に引っ張り変形される。かかるロックバネ２５の引っ張り変形により、ロックバネ２５にロックレバー２４をレバー軸１５ａ回りに矢印Ｆ方向へ付勢する弾性復元力が蓄えられるのである。
【００７７】
ロックピン２７が突部２４ｇに到達した後、開閉カバー１２が更に閉鎖されると、ロックピン２７は、突起部２４ｇの円弧状外面に当接しつつ、ロックレバー２４に対して相対的に図６に示す接点Ｋ１へ向けて摺動される。ロックピン２７が接点Ｋ１に到達して、図６の２点鎖線の状態になると、ロックレバー２４がロックバネ２５の弾性復元力により付勢され、図５（ｂ）に示す位置からレバー軸１５ａを中心に矢印Ｆ方向へ揺動される。このロックレバー２４の揺動に伴って、図６の２点鎖線の位置にあるロックピン２７は、突起部２４ｇから離間して、ロックレバー２４に対して相対的にロック溝２４ｃの開放Ｗ側から矢印Ｇ方向へ向けて飛び込むのである。
【００７８】
突起部２４ｇから離間したロックピン２７は、ロックレバー２４に対して相対的にロック溝２４ｃの内側へ向けて飛翔し、その後、図５（ｃ）及び図６に示すように凹み部２４ｈに到達して接点Ｋ１，Ｋ２と当接される。この間に、ロックレバー２４とロックピン２７とは、非接触状態となるので、両者の間に摩擦抵抗が生じることがなく、ロックピン２７とロックレバー２４の受け面Ｍ２とを強く衝突させるための衝突エネルギーを蓄積することができるのである。
【００７９】
なお、凹み部２４ｈとロックピン２７との接点Ｋ１，Ｋ２間の距離である接点間距離ＫＬを大きくすることにより、突起部２４ｇから離間したロックピン２７の飛翔距離が増加されるので、その分、ロックピン２７と受け面Ｍ２とを衝突させるために蓄えられる衝突エネルギーを増加させることができる。よって、かかる衝突エネルギーが増加される分、ロックピン２７と受け面Ｍ２との衝突に伴う衝突音をより大きくすることができるのである。
【００８０】
その後、ロックレバー２４がロックバネ２５の弾性復元力により更に図５（ｃ）の矢印Ｆ方向へ揺動されると、ロックピン２７は、ロック溝２４ｃ内を上壁面Ｍ１に当接しつつ受け面Ｍ２側へ向けて相対的に隙間ｔ分だけ摺動され、受け面Ｍ２と衝突される。かかる受け面Ｍ２とロックピン２７との衝突により衝突音が発生され、かかる衝突音によりロックピン２７がロックレバー２４のロック溝２４ｃ内に確実に係入されたことが使用者に報知されるのである。
【００８１】
以上説明したように、本実施例のプリンタ１０を備えた電子黒板１によれば、ロックピン２７が係入されるロック溝２４ｃの開放Ｗ側の縁部には突起部２４ｇが突設されるので、開閉カバー１２の閉鎖に伴って突起部２４ｇを乗り越えたロックピン２７を、ロックバネ２５の付勢力によって、ロック溝２４ｃの受け面Ｍ２へ向けて勢いを付けて飛び込ませることができる。よって、ロックレバー２４のロック溝２４ｃへ係入されるロックピン２７を、ロック溝２４ｃの受け面Ｍ２に勢いを付けて衝突させることができる。その結果、かかる衝突に伴う衝突音によって、ロックピン２７がロックレバー２４のロック溝２４ｃに係入されたことが確実に報知されるので、開閉カバー１２が完全に閉鎖されことを使用者が確認することができるのである。
【００８２】
しかも、かかる衝突音を確認することで、ロックレバー２４のロック溝２４ｃにロックピン２７が係入される以前に、開閉カバー１２が完全に閉鎖されたと誤認することを防止して、開閉カバー１２の未閉鎖状態の発生を防止することができるのである。よって、開閉カバー１２を閉鎖する際に、衝突音が鳴らない場合には、ロック装置２３により開閉カバー１２がプリンタ本体１１にロックされていないと判断することができるのである。
【００８３】
また、ロックピン２７が係入されるロック溝２４ｃの上側内面には、そのロック溝２４ｃの開放Ｗ側と受け面Ｍ２側との間部分、即ち、突起部２４ｇと上壁面Ｍ１との間部分に凹み部２４ｈが凹設される。かかる凹み部２４ｈによって、ロックピン２７は、接点Ｋ１で当接する位置（図６の２点鎖線）から接点Ｋ１，Ｋ２で当接する位置（図６の実線）までの区間を、ロック溝２４ｃの上側内面と接触することなく、ロックレバー２４に対して相対的に飛翔することができる。
【００８４】
このように、ロックピン２７がロックレバー２４に対して飛翔する間、ロックピン２７とロック溝２４ｃとの間には摩擦抵抗がなくなるので、ロックバネ２５により付勢されたロックレバー２４の受け面Ｍ２とロックピン２７とを勢いを付けて衝突させることができる。その結果、かかる衝突に伴う衝突音によって、ロックピン２７がロックレバー２４のロック溝２４ｃに係入されたことが確実に報知されるので、開閉カバー１２が完全に閉鎖されことを使用者が確認することができるのである。
【００８５】
ロックピン２７が係入されるロック溝２４ｃに凹設される凹み部２４ｈは略円弧状に形成されるので、ロックピン２７がロック溝２４ｃの内面に当接しつつ摺動する際に、ロックレバー２４の内部に生じる応力が凹み部２４ｈに集中することを防止することができる。よって、かかる凹み部２４ｈの応力集中により、ロックレバー２４が経時クリープして破損することを防止することができる。
【００８６】
ロックピン２７が係入されるロック溝２４ｃに凹設される凹み部２４ｈは、ロック溝２４ｃの内面に略円弧状に凹設されるとともに、その凹み部２４ｈの曲率半径はロックピン２７の外径の略１／２以下に形成されるので、ロックピン２７が凹み部２４ｈに填り込んでその凹み部２４ｈの内面を摺動することを防止することができる。このため、凹み部２４ｈの曲率半径がロックピン２７の外径の略１／２より大きい場合のように、ロック溝２４ｃへ係入したロックピン２７が凹み部２４ｈの曲面に沿って摺動することがなく、かかる摺動によりロックピン２７の受け面Ｍ２との衝突力が減勢されることを防止することができる。
【００８７】
ここで、開閉カバー１２が閉鎖されると、図３に示すプラテン２１ｂが印字ヘッド２１ａ下面に当接される。その後、開閉カバー１２が更に閉鎖されると、ヘッドバネ２１ｃが収縮され、かかるヘッドバネ２１ｃの収縮に伴う弾性復元力により印字ヘッド２１ａがプラテン２１ｂに押圧されるのである。このため、ロック装置２３によるプリンタ本体１１と開閉カバー１２とのロック動作は、かかるヘッドバネ２１ｃの弾性復元力に抗しつつ行う必要がある。ここで、ロック装置２３により開閉カバー１２がロックされるまで、ヘッドバネ２１ｃに加えられる圧縮力は略４ｋｇ〜略５ｋｇの大きさに相当する。
【００８８】
しかしながら、開閉カバー１２は、プリンタ本体１１の下方から上方へ向けて開閉カバー１２が閉鎖されるので、開閉カバー１２がプリンタ本体１１の上方から下方へ向けて閉鎖される場合に比べて、開閉カバー１２を閉鎖する際に力を加え難い。このため、ロックピン２７がロックレバー２４のロック溝２４ｃに確実に係入されていないにも関わらず、使用者がロックピン２７が係入されたと勘違いして、開閉カバー１２の閉鎖が未完全な状態となることがある。かかる状態で、プリンタ１０に何らかの衝撃が加わると、開閉カバー１２が誤って開放Ｗしてしまうことがある。
【００８９】
一方、開閉カバー１２がロック位置まで押し上げられてロックされたのにも関わらず、開閉カバー１２がロックされているのかを認知できないために、更に過負荷を与えてしまい、ロックピン２７を変形させてしまうことがある。
【００９０】
ところが、電子黒板１には、上記のように構成されたロック装置２３を備えたプリンタ１０が使用されるので、ロックピン２７とロックレバー２４の受け面Ｍ２との衝突に伴う音によって、ロックピン２７がロックレバー２４のロック溝２４ｃに係入されたことを確実に報知することができる。しかも、かかる報知により、開閉カバー１２の不完全な閉鎖状態の発生を確実に防止することができるのである。
【００９１】
以上、実施例に基づき本発明を説明したが、本発明は上記実施例に何ら限定されるものではなく、本発明の趣旨を逸脱しない範囲内で種々の改良変形が可能であることは容易に推察できるものである。
【００９２】
本実施例では、開閉カバー１２は、プリンタ本体１１の下方を開閉可能に覆うように構成されたが、プリンタにおけるプリンタ本体と開閉カバーの位置関係は、必ずしもこれに限られるものではなく、例えば、プリンタ本体の上方を開閉カバーにより開閉可能に覆うようにプリンタを構成しても良い。
【００９３】
また、本実施例では、ロック装置２３のロックレバー２４及びロックバネ２５が開閉カバー１２側に配設され、ロックピン２７がプリンタ本体１１側に配設されたが、ロック装置の各部材の配設位置は、必ずしもこれに限られるものではなく、例えば、ロックレバー及びロックバネをプリンタ本体側に配設して、ロックピンを開閉カバー側に配設しても良い。
【００９４】
更に、本実施例では、ロックレバー２４をロックバネ２５により付勢することにより、ロックピン２７との相対動作を行わせたが、例えば、ロックピンをロックレバーへ向けて付勢するように構成しても良い。
【００９５】
本実施例では、ロックレバー２４に突起部２４ｇ及び凹み部２４ｈをそれぞれ設けたが、ロックレバーの構成は必ずしもこれに限られるものではなく、ロックレバーのロック溝に突起部または凹み部のいずれか一方を設けるようにしても良い。
【００９６】
【発明の効果】
請求項１記載の画像形成装置によれば、ロック部材の突起部によって、ピン係入部へ係入されるロックピンを受け面に勢いを付けて衝突させることができる。よって、かかる衝突音により、ロックピンがロック部材のピン係入部に係入されたことが報知されるので、かかる報知により開閉カバーが装置本体に確実にロックされたことを確認することができるという効果がある。しかも、ロックピンと受け面との衝突音がない場合には、開閉カバーが装置本体にロックされていないことを知ることができる。よって、例えば、ロック部材のピン係入部にロックピンが係入される以前に、開閉カバーが完全に閉鎖されたと誤認することを防止して、開閉カバーの未閉鎖状態の発生を防止することができるという効果がある。
【００９７】
また、ロック部材の凹み部によって、ピン係入部へ係入されるロックピンを受け面に勢いを付けて衝突させることができる。よって、かかる衝突音により、ロックピンがロック部材のピン係入部に係入されたことが報知されるので、かかる報知により開閉カバーが装置本体に確実にロックされたことを確認することができるという効果がある。しかも、ロックピンと受け面との衝突音がない場合には、開閉カバーが装置本体にロックされていないことを知ることができる。よって、例えば、ロック部材のピン係入部にロックピンが係入される以前に、開閉カバーが完全に閉鎖されたと誤認することを防止して、開閉カバーの未閉鎖状態の発生を防止することができるという効果がある。
【００９８】
さらに、ロックピンが係入されるピン係入部に凹設される凹み部は略円弧状に形成されるので、ロックピンがピン係入部の内面に当接しつつ摺動する際に、ロック部材の内部に生じる応力が凹み部に集中することを防止することができる。よって、かかる凹み部の応力集中により、ロック部材が経時クリープして破損することを防止することができるという効果がある。
また、凹み部の曲率半径は、ロックピンの半径よりも小さくされているので、凹み部がロックピンの外周面と２点で当接される状態において、凹み部とロックピンの外周面との間に空隙を設けることができる。よって、ロックピンが凹み部に当接しつつ摺動して上壁面側へ移動することが防止されるので、かかる摺動に伴ってロックピンが突起部を乗り越えることにより蓄えられた衝撃エネルギーが損失することを防止することができるという効果がある。また、凹み部がロックピンの外周面と２点で当接される状態において、ロックピンと受け面との間には隙間が設けられているので、ロックピンは、付勢部材の弾性復元力によって相対的にその隙間分だけ受け面側へ移動し、ロックピンと受け面との衝突に伴って発生する衝突音により、ロックピンがロック溝内に確実に係入されたことを使用者に対して報知することができるという効果がある。
【００９９】
請求項２記載の画像形成装置によれば、請求項１記載の画像形成装置の奏する効果に加え、ロックピンが係入されるピン係入部に凹設される凹み部は、ピン係入部の内面に略円弧状に凹設されるとともに、その凹み部の曲率半径はロックピンの外径の略１／２以下に形成されるので、ロックピンが凹み部に填り込んでその凹み部の内面を摺動することを防止することができる。このため、凹み部の曲率半径がロックピンの外径の略１／２より大きい場合のように、ピン係入部へ係入したロックピンが凹み部の曲面に沿って摺動することがなく、かかる摺動によりロックピンの受け面との衝突力が減勢されてしまうことがない。よって、ロックピンを確実に凹み部を飛び越えさせて、そのロックピンを付勢部材の付勢力によりロック部材のピン係入部の受け面に勢いを付けて衝突させることができるという効果がある。
【図面の簡単な説明】
【図１】本発明の一実施例であるプリンタを備えた電子黒板の外観斜視図である。
【図２】プリンタの内部構造を概略的に図示した側断面図であり、開閉カバーの閉鎖状態を示している。
【図３】プリンタの内部構造を概略的に図示した側断面図であり、開閉カバーの開放状態を示している。
【図４】ロック装置を側面視したプリンタの内部構造を示す側断面図であり、開閉カバーの閉鎖状態を示している。
【図５】開閉カバーの閉鎖に伴うロックレバーとロックピンとの相対的な位置関係を示した側面図であり、（ａ）は、ロックレバーのピン当接面とロックピンとが当接した状態を図示し、（ｂ）は、ロックレバーの突起部とロックピンとが当接した状態を図示し、（ｃ）は、ロックピンがロック溝の凹み部に到達した状態を図示している。
【図６】図５（ｃ）の状態におけるロックレバーの突起部の周辺を拡大視した側面図である。
【図７】ロック装置を側面視したプリンタの内部構造を示す側断面図であり、開閉カバーの開放状態を示している。
【符号の説明】
１                  電子黒板（掲示装置）
２                  黒板フレーム（フレーム体）
２ａ                フレーム下枠（取付部）
４                  ホワイトシート（被記載面）
７                  読取装置
８，９              台座脚（支持部材）
１０                プリンタ（画像形成装置）
１１                プリンタ本体（装置本体）
１２                開閉カバー
２１ａ              印字ヘッド
２３ ロック装置（画像形成装置のロック機構）
２４                ロックレバー（ロック部材）
２４ｃ ロック溝（ピン係入部の一部）
２４ｇ              突起部
２４ｈ              凹み部
２５                ロックバネ（付勢部材）
２７                ロックピン
Ｇ                  ロックピンの移動方向
Ｍ１ 上壁面
Ｍ２                受け面
Ｍ３ 下壁面
Ｐ                  記録用紙（用紙）
ｔ 隙間
Ｗ                  開放
【図１】
0004491863.tif 000002
【図２】
0004491863.tif 000003
【図３】
0004491863.tif 000004
【図４】
0004491863.tif 000005
【図５】
0004491863.tif 000006
【図６】
0004491863.tif 000007
【図７】
0004491863.tif 000008